(57)【要約】【課題】他の機器を所持するユーザの位置を把握するために有益な情報を提供すること。【解決手段】１つの態様において、携帯電子機器（例えば、携帯電話機１）は、通信を行う通信部と、複数回の位置測位に基づく位置情報を、前記通信部により特定の機器に対して送信する制御部とを有する。例えば、携帯電話機１は、緊急地震速報、津波警報、災害情報又は避難情報などの報知型の所定のメッセージを受信すると、位置測位処理を起動させ、ＧＰＳ衛星３０ａ〜３０ｄからの電波信号に基づいて位置測位を複数回実行する。そして、携帯電話機１は、複数回の位置測位により取得された複数の位置情報をまとめて、携帯電話機２に対して同時に送信する。【選択図】図１
2013232786.tif 000002
【特許請求の範囲】
【請求項１】
通信を行う通信部と、
複数回の位置測位に基づく位置情報を、前記通信部により特定の機器に対して送信する制御部と
を有する携帯電子機器。
【請求項２】
前記制御部は、前記複数回の位置測位により取得された複数の位置情報をまとめて、前記特定の機器に同時に送信する請求項１に記載の携帯電子機器。
【請求項３】
前記制御部は、前記複数回の位置測位により取得された複数の位置情報の中から、所定の条件を満足する位置情報のみを選択して、前記特定の機器に同時に送信する請求項１に記載の携帯電子機器。
【請求項４】
前記制御部は、前記複数の位置情報の中から選択した前記所定の条件を満足する位置情報を平均化した後、前記特定の機器に送信する請求項３に記載の携帯電子機器。
【請求項５】
前記制御部は、前記通信部により所定の通知を受信した場合に、位置測位処理を複数回実行する請求項１〜４のいずれか一つに記載の携帯電子機器。
【請求項６】
通信を行う通信部を有する携帯電子機器に、
複数回の位置測位に基づく位置情報を、前記通信部により特定の機器に対して送信するステップを実行させる位置情報送信プログラム。
【請求項７】
通信ネットワークを介して相互に通信できる、第１の携帯電子機器と第２の携帯電子機器とサーバとを含む位置情報送信システムであって、
前記第１の携帯電子機器は、
複数回の位置測位に基づく位置情報を前記第２の携帯電子機器に対して送信する制御部を有し、
前記第２の携帯電子機器は、
表示部と、
前記第１の携帯電子機器から位置情報を受信した場合に、受信した位置情報に対応するコンテンツを前記サーバから取得し、取得したコンテンツを前記表示部に表示させる制御部と
を有する位置情報送信システム。
【発明の詳細な説明】
【技術分野】
【０００１】
本出願は、携帯電子機器、位置情報送信プログラム及び位置情報送信システムに関する。
【背景技術】
【０００２】
従来、携帯電話機等の携帯電子機器に対するサービスとして、他の機器にて測位された位置を地図データ上に表示させるサービスが存在する。これにより、他の機器の位置を地図データ上で確認することが可能となる。
【先行技術文献】
【特許文献】
【０００３】
【特許文献１】特開２０１２−２７０２８号公報
【発明の概要】
【発明が解決しようとする課題】
【０００４】
ところで、他の機器にて測位された位置情報には、測位した場所、方位、あるいは天候などによって誤差が含まれる。このため、他の機器を所持するユーザの位置を把握するのが難しい場合もある。
【０００５】
上記のことから、他の機器を所持するユーザの位置を把握するために有益な情報を提供できる携帯電子機器、位置情報送信プログラム及び位置情報送信システムに対する必要性がある。
【課題を解決するための手段】
【０００６】
１つの態様に係る携帯電子機器は、通信を行う通信部と、複数回の位置測位に基づく位置情報を、前記通信部により特定の機器に対して送信する制御部とを有する。
【０００７】
１つの態様に係る位置情報送信プログラムは、通信を行う通信部を有する携帯電子機器に、複数回の位置測位に基づく位置情報を、前記通信部により特定の機器に対して送信するステップを実行させる。
【０００８】
１つの態様に係る位置情報送信システムは、通信ネットワークを介して相互に通信できる、第１の携帯電子機器と第２の携帯電子機器とサーバとを含む位置情報送信システムであって、前記第１の携帯電子機器は、複数回の位置測位に基づく位置情報を前記第２の携帯電子機器に対して送信する制御部を有し、前記第２の携帯電子機器は、表示部と、前記第１の携帯電子機器から位置情報を受信した場合に、受信した位置情報に対応するコンテンツを前記サーバから取得し、取得したコンテンツを前記表示部に表示させる制御部とを有する。
【図面の簡単な説明】
【０００９】
【図１】図１は、実施形態に係るシステム構成の概略を示す図である。
【図２】図２は、図１に示す携帯電話機１の機能構成を示すブロック図である。
【図３】図３は、図１に示す携帯電話機２の機能構成を示すブロック図である。
【図４】図４は、実施形態に係るシステムの処理の概要を示す図である。
【図５】図５は、実施形態に係るシステムにおける処理の流れを示す図である。
【図６】図６は、図５の処理により携帯電話機２のディスプレイに表示される地図データの一例を示す図である。
【図７】図７は、本実施形態に係るシステムにおける他の処理の流れを示す図である。
【図８】図８は、本実施形態に係るシステムにおける他の処理の流れを示す図である。
【図９】図９は、図８の処理により携帯電話機２のディスプレイに表示される地図データの一例を示す図である。
【図１０】図１０は、本実施形態に係るシステムにおける他の処理の流れを示す図である。
【図１１】図１１は、図１０の処理により携帯電話機２のディスプレイに表示される地図データの一例を示す図である。
【発明を実施するための形態】
【００１０】
本出願に係る携帯電子機器、位置情報送信プログラム及び位置情報送信システムを実施するための実施形態を、図面を参照しつつ詳細に説明する。以下の説明により、本出願に係る携帯電子機器、位置情報送信プログラム及び位置情報送信システムが限定されるものではない。以下の説明における構成要素には、当業者が容易に想定できるもの、実質的に同一のもの、いわゆる均等の範囲のものが含まれる。以下においては、携帯電子機器の一例として携帯電話機を取り上げるが、本発明の適用対象は携帯電話機に限定されるものではなく、通信が可能な他の装置に対しても適用できる。例えば、タッチスクリーンを有する多機能携帯電話（スマートフォン）、ＰＨＳ（Ｐｅｒｓｏｎａｌ  Ｈａｎｄｙ−Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、ゲーム機等に対しても適用できる。
【００１１】
（実施形態）
図１は、実施形態に係るシステム構成の概略を示す図である。図１に示すように、本実施形態に係る位置情報送信システムは、通信ネットワークを介して相互に通信できる、携帯電話機１と、携帯電話機２と、サーバ３とを有する。携帯電話機１は、複数のＧＰＳ衛星３０ａ、３０ｂ、３０ｃ及び３０ｄから送信される電波信号に基づいて位置測位処理を実行し、測位した位置情報を携帯電話機２に送信する。携帯電話機２は、携帯電話機１から受信した位置情報に対応する地図データをサーバ３から取得して表示する。サーバ３は、携帯電話機２に対して、指定された位置情報に対応する地図データを提供する。
【００１２】
図２は、図１に示す携帯電話機１の機能構成を示すブロック図である。図２に示すように、携帯電話機１は、マイク１１と、スピーカ１２と、レシーバ１３と、操作部１４と、表示部１５と、カメラ１６と、通信部１７と、音声処理部２０と、記憶部４０と、制御部１００とを有する。
【００１３】
マイク１１は、例えば、音声検索の利用時にユーザが発する音声、ノイズキャンセル処理時に利用する音など、種々の音を取得する。スピーカ１２は、例えば、携帯電話機１の筐体内に配置されており、着信音やメールの送信音等を出力する。レシーバ１３は、例えば、通話時の音声などを出力する。
【００１４】
操作部１４は、各種機能が割り当てられた複数のキーを有する。操作部１４は、これらのキーがユーザの操作により入力されると、その操作内容に対応する信号を発生させる。発生した信号は、ユーザの指示として制御部１００へ入力される。操作部１４は、例えば、居場所通知機能が割り当てられたキーがユーザの操作により入力されると、居場所通知機能の起動信号を発生させる。居場所通知機能は、携帯電話機１のユーザが、携帯電話機２のユーザに対して、自己の位置を主体的に通知するための機能である。
【００１５】
表示部１５は、任意のディスプレイを有し、制御部１００から供給される映像データに応じた映像や画像データに応じた画像を表示パネルに表示させる。ディスプレイは、例えば、液晶ディスプレイ（ＬＣＤ、Ｌｉｑｕｉｄ  Ｃｒｙｓｔａｌ  Ｄｉｓｐｌａｙ）、又は有機ＥＬ（Ｏｒｇａｎｉｃ  Ｅｌｅｃｒｏ−Ｌｕｍｉｎｅｓｃｅｎｃｅ）パネルなどで構成された表示パネルで構成される。表示部１５は、ディスプレイに加え、サブディスプレイを有していてもよい。カメラ１６は、撮影した画像を取得する。
【００１６】
通信部１７は、アンテナ１７ａを有し、通信ネットワークに収容される基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、例えば、後述する携帯電話機２との間で電話通信及び情報通信を行う。さらに、通信部１７は、ＧＰＳ衛星３０ａ、３０ｂ、３０ｃ及び３０ｄからの所定の周波数帯の電波信号を受信し、受信した電波信号の復調処理を行って、処理後の信号を制御部１００に送出する。通信部１７とは別に、ＧＰＳ衛星３０ａ、３０ｂ、３０ｃ及び３０ｄとの通信のみを行う通信部を設けてもよい。
【００１７】
音声処理部２０は、マイク１１に入力される音声信号、スピーカ１２及びレシーバ１３から出力される音声信号の処理を実行する。すなわち、音声処理部２０は、マイク１１から入力される音声を増幅し、アナログデジタル変換を実行した後、さらに符号化等の信号処理を施し、デジタルの音声データに変換してから制御部１００へ送出する。また、制御部１００から送られる音声データの復号化、デジタルアナログ変換、増幅等の処理を施し、アナログの音声信号に変換してからスピーカ１２及びレシーバ１３へ出力する。
【００１８】
記憶部４０は、オペレーティングシステムプログラム及びアプリケーションプログラム等、制御部１００での処理に利用される各種プログラム及び各種データを記憶する。例えば、記憶部４０には、表示部１５の動作を制御するアプリケーションプログラムを作動させるタスク、通信部１７の動作を制御するアプリケーションプログラムを作動させるタスク及び音声処理部２０の動作を制御するアプリケーションプログラムを作動させるタスクなどが記憶されている。また、記憶部４０には、これらのタスク以外にも、例えば、ダウンロードされた音声データ、あるいは記憶部４０に対する制御に制御部１００が用いるプログラム、通信相手の電話番号及びメールアドレス等が記述されたアドレス帳、発信音及び着信音等の音声ファイル、プログラムに基づく処理過程で用いられる一時的なデータ等が記憶される。
【００１９】
本実施形態において、記憶部４０には、少なくとも、他の携帯電話機との間で通話を含む通信を行うためのプログラム、及び、気象庁が配信する緊急地震速報及び津波警報、地方公共団体が発信する災害情報及び避難情報などの報知型の所定のメッセージを受信した場合に、位置測位処理を起動して、複数回の測位に基づいた位置情報を携帯電話機２に対して送信するためのプログラムが記憶される。
【００２０】
制御部１００は、記憶部４０に記憶されている各種プログラムに基づいて処理を実行する。制御部１００は、例えば、マイクロプロセッサユニット（ＭＰＵ：Ｍｉｃｒｏ  Ｐｒｏｃｅｓｓｉｎｇ  Ｕｎｉｔ）で構成され、記憶部４０に記憶されるプログラムから命令コードを順次読み込んで、読み込んだ命令コードで指示された手順に従って携帯電話機１の各種の処理を実行する。すなわち、制御部１００は、携帯電話機１の各種の処理が、操作部１４の操作、及び携帯電話機１の記憶部４０に記憶されるプログラムに応じて適切な手順で実行されるように、表示部１５、通信部１７及び音声処理部２０等の動作を制御する。
【００２１】
制御部１００は、図２に示すように、位置測位部１１０及び位置情報送信部１２０を有する。
【００２２】
位置測位部１１０は、気象庁が配信する緊急地震速報及び津波警報、地方公共団体が発信する災害情報及び避難情報などの報知型の所定のメッセージを受信した場合に、位置測位処理を起動し、位置測位を複数回実行する。
【００２３】
具体的に説明すると、位置測位部１１０は、通信部１７を介してメッセージを受信すると、受信したメッセージが緊急地震速報、津波警報、災害情報又は避難情報などの報知型の所定のメッセージであるか否かを判定する。例えば、位置測位部１１０は、受信したメッセージが、ＢＣＳＭＳ（Ｂｒｏａｄ  Ｃａｓｔ  Ｓｈｏｒｔ  Ｍｅｓｓａｇｅ  Ｓｅｒｖｉｃｅ）などを利用した一斉配信型のブロードキャストメッセージであれば、受信したメッセージの拡張システムパラメータのブロードキャスト用の領域がページングチャネルに設定されているかどうかを判定する。そして、位置測位部１１０は、ブロードキャスト用の領域がページングチャネルに設定されている場合には、その領域内に記述された信号を確認することにより、緊急地震速報などの報知型の所定のメッセージであるかを判定する。例えば、位置測位部１１０は、受信したメッセージが、対象エリア内の機器に対して通信回線事業者により一斉配信されるエリアメールである場合には、エリアメールのヘッダ内に設けられたシステム領域のパラメータを確認することにより、緊急地震速報などの報知型の所定のメッセージであるかを判定する。
【００２４】
判定の結果、緊急地震速報などの報知型の所定のメッセージであった場合には、位置測位部１１０は、位置測位処理を起動させ、通信部１７から送出されたＧＰＳ衛星３０ａ、３０ｂ、３０ｃ及び３０ｄからの電波信号に基づいて位置測位を複数回実行する。
【００２５】
位置情報送信部１２０は、位置測位部１１０による複数回の位置測位に基づいた位置情報を携帯電話機２に対して送信する。具体的には、位置情報送信部１２０は、位置測位部１１０による複数回の位置測位により取得された複数の位置情報をまとめて、携帯電話機２に対して同時に送信する。
【００２６】
図３は、図１に示す携帯電話機２の機能構成を示すブロック図である。図３に示すように、携帯電話機２は、マイク３１と、スピーカ３２と、レシーバ３３と、操作部３４と、表示部３５と、通信部３６と、音声処理部５０と、記憶部７０と、制御部２００とを有する。
【００２７】
マイク３１は、例えば、通話時の音声などの音声信号を入力する。スピーカ３２は、例えば、携帯電話機２の筐体内に配置されており、着信音やメールの送信音等を出力する。レシーバ３３は、例えば、通話時の音声などを出力する。
【００２８】
操作部３４は、各種機能が割り当てられた複数のキーを有する。操作部３４は、これらのキーがユーザの操作により入力されると、その操作内容に対応する信号を発生させる。発生した信号は、ユーザの指示として制御部２００へ入力される。操作部３４は、例えば、位置情報取得機能が割り当てられたキーがユーザの操作により入力されると、位置情報取得機能の起動信号を発生させる。位置情報取得機能は、携帯電話機２のユーザが、携帯電話機１のユーザの現在位置を取得するために、位置測位を要求するためのメッセージを自動生成して、携帯電話機１に送信するための機能である。
【００２９】
表示部３５は、任意のディスプレイを有し、制御部２００から供給される映像データに応じた映像や画像データに応じた画像をディスプレイに表示させる。ディスプレイは、携帯電話機１と同様に、例えば、液晶ディスプレイ又は有機ＥＬパネルなどで構成された表示パネルで構成される。表示部３５は、ディスプレイに加え、サブディスプレイを有していてもよい。
【００３０】
通信部３６は、アンテナ３６ａを有し、携帯電話機１と同様に、通信ネットワークに収容される基地局によって割り当てられるチャネルを介し、基地局との間でＣＤＭＡ方式などによる無線信号回線を確立し、基地局を介して、例えば、上述した携帯電話機１との間で電話通信及び情報通信を行う。さらに、通信部３６は、ＧＰＳ衛星３０ａ、３０ｂ、３０ｃ及び３０ｄからの所定の周波数帯の電波信号を受信し、受信した電波信号の復調処理を行って、処理後の信号を制御部２００に送出してもよい。
【００３１】
音声処理部５０は、マイク３１に入力される音声信号、スピーカ３２及びレシーバ３３から出力される音声信号の処理を実行する。すなわち、音声処理部５０は、マイク３１から入力される音声を増幅し、アナログデジタル変換を実行した後、さらに符号化等の信号処理を施し、デジタルの音声データに変換してから制御部２００へ送出する。また、制御部２００から送られる音声データの復号化、デジタルアナログ変換、増幅等の処理を施し、アナログの音声信号に変換してからスピーカ３２及びレシーバ３３へ出力する。
【００３２】
記憶部７０は、オペレーティングシステムプログラム及びアプリケーションプログラム等、制御部２００での処理に利用される各種プログラム及び各種データを記憶する。例えば、記憶部７０には、表示部３５の動作を制御するアプリケーションプログラムを作動させるタスク、通信部３６の動作を制御するアプリケーションプログラムを作動させるタスク及び音声処理部５０の動作を制御するアプリケーションプログラムを作動させるタスクなどが記憶されている。また、記憶部７０には、これらのタスク以外にも、例えば、ダウンロードされた音声データ、あるいは記憶部７０に対する制御に制御部２００が用いるプログラム、通信相手の電話番号及びメールアドレス等が記述されたアドレス帳、発信音及び着信音等の音声ファイル、プログラムに基づく処理過程で用いられる一時的なデータ等が記憶される。
【００３３】
本実施形態において、記憶部７０には、少なくとも、他の携帯電話機との間で通話を含む通信を行うためのプログラム、ＷＥＢページの表示及びブックマークの編集等を可能にするＷＥＢブラウジング機能を実行するためのプログラム、及び携帯電子機１から位置情報を受信した場合に、受信した位置情報に対応するコンテンツである地図データをサーバ３から取得し、地図データを表示部３５が備えるディスプレイに表示させるためのプログラムが記憶される。
【００３４】
制御部２００は、記憶部７０に記憶されている各種プログラムに基づいて処理を実行する。制御部２００は、例えば、マイクロプロセッサユニットで構成され、記憶部７０に記憶されるプログラムから命令コードを順次読み込んで、読み込んだ命令コードで指示された手順に従って携帯電話機２の各種の処理を実行する。すなわち、制御部２００は、携帯電話機２の各種の処理が、操作部３４の操作、及び記憶部７０に記憶されるプログラムに応じて適切な手順で実行されるように、表示部３５、通信部３６及び音声処理部５０等の動作を制御する。
【００３５】
制御部２００は、図３に示すように、地図データ表示部２１０を有する。地図データ表示部２１０は、携帯電話機１から複数の位置情報を受信すると、ＷＥＢブラウジング機能を起動してサーバ３のウェブサイトに自動的にアクセスする。続いて、地図データ表示部２１０は、携帯電話機１から受信した複数の位置情報に対応する地図データの取得要求をサーバ３に送信する。地図データの取得要求をサーバ３に送信する際、地図データ表示部２１０は、この取得要求に携帯電話機１から受信した複数の位置情報を含める。そして、地図データ表示部２１０は、サーバ３から受信した地図データを、表示部３５が備えるディスプレイに表示させる。サーバ３から受信した地図データは、ＷＥＢブラウザにより表示可能なＨＴＴＰ（Ｈｙｐｅｒｔｅｘｔ  Ｔｒａｎｓｆｅｒ  Ｐｒｏｔｏｃｏｌ）などのプロトコルを用いたデータでもよいし、専用のプログラムを用いたデータでもよい。専用のプログラムを用いた地図データである場合には、予め記憶部７０に、サーバ３から受信した地図データを表示させるためのプログラムを格納しておき、制御部２００は、このプログラムを読み込んで実行することにより、地図データをディスプレイに表示せる。
【００３６】
サーバ３は、携帯電話機２から地図データの取得要求を受信すると、携帯電話機２に対して地図データを提供する。サーバ３は、例えば、国際地球基準座標系に対応した地図データを予め蓄積する。サーバ３は、携帯電話機２から受信した地図データの取得要求を受信すると、この要求に含まれる複数の位置情報に基づいて地図データを作成する。例えば、サーバ３は、複数の位置情報が略中心となる地図データを切り出し、位置情報のそれぞれに対応する位置に所定のマークを配置した地図データを作成する。そして、サーバ３は、作成した地図データを格納して格納位置を示すＵＲＬを生成し、このＵＲＬを記述したメールを携帯電話機２に送信する。このとき、サーバ３は、地図データの取得要求の送信元アドレスを宛先とする。
【００３７】
図４は、実施形態に係るシステムの処理の概要を示す図である。図４は、携帯電話機１が緊急地震速報を受信した場合の処理の概要の一例である。
【００３８】
図４に示すように、携帯電話機１は、緊急地震速報を受信すると、位置測位処理を起動して、複数回位置測位を実行する（ステップＳ１１）。続いて、携帯電話機１は、測位した各位置情報を同時に携帯電話機２に送信する（ステップＳ１２）。携帯電話機２は、携帯電話機１から位置情報を受信すると、各位置情報の対応位置が表示された地図データの取得要求を、サーバ３に送信する（ステップＳ１３）。
【００３９】
サーバ３は、携帯電話機２から地図データの取得要求を受信すると、地図データを作成し、作成した地図データの格納位置を示すＵＲＬが記述されたメールを携帯電話機２に送信する（ステップＳ１４）。携帯電話機２は、サーバ３から受信したメールに記述されているＵＲＬにアクセスし、地図データをディスプレイに表示させる（ステップＳ１５）。
【００４０】
図５は、本実施形態に係るシステムにおける処理の流れを示す図である。図５は、携帯電話機１が緊急地震速報を受信した場合の処理の流れの一例である。携帯電話機１が、緊急地震速報以外の津波警報、災害情報又は避難情報などを受信した場合も、処理の流れは図５に示すものと同様である。
【００４１】
図５に示すように、携帯電話機１の制御部１００が有する位置測位部１１０は、ステップＳ１０１として、緊急地震速報を受信すると、ステップＳ１０２として、位置測位処理を起動して、３回位置測位を実行する。続いて、携帯電話機１の制御部１００が有する位置情報送信部１２０は、ステップＳ１０３として、測位した各位置情報を携帯電話機２に送信する。
【００４２】
携帯電話機２の制御部２００が有する地図データ表示部２１０は、ステップＳ１０４として、携帯電話機１から各位置情報を受信すると、ステップＳ１０５として、各位置情報に対応する位置が表示された地図データの取得要求をサーバ３に送信する。
【００４３】
サーバ３は、ステップＳ１０６として、携帯電話機２から地図データの取得要求を受信すると、ステップＳ１０７として、取得要求に含まれる各位置情報に基づいて作成した地図データを格納する。続いて、サーバ３は、ステップＳ１０８として、地図データの格納位置を示すＵＲＬを記述したメールを携帯電話機２に送信する。
【００４４】
携帯電話機２の地図データ表示部２１０は、ステップＳ１０９として、サーバ３から地図データの格納位置を示すＵＲＬが記述されたメールを受信すると、ステップＳ１１０として、このＵＲＬにアクセスし、地図データをディスプレイに表示させる。
【００４５】
図６は、図５の処理により携帯電話機２のディスプレイに表示される地図データの一例を示す図である。図６に示すように、携帯電話機２のディスプレイに表示される地図データＤ１には、携帯電話機１にて測位された３つの位置情報に対応する携帯電話機１の位置Ｐ１、位置Ｐ２及び位置Ｐ３がそれぞれ表示される。このため、本実施形態に係るシステムによれば、携帯電話機２のユーザが、地図データ上に表示される複数の位置の中から、携帯電話機１のユーザの位置を推測することができ、従来のように、１度の位置測位処理による１つの位置が地図データに表示される場合よりも、携帯電話機１のユーザの位置を把握するために有益な情報を提供できる。
【００４６】
さらに、本実施形態によれば、携帯電話機１が複数回の測位に基づく位置情報を送信するので、本実施形態に係るシステムを利用する他の携帯電話機がある場合、他の携帯電話機との間で位置情報の送信タイミングが重複する可能性を低減できる。このため、例えば、緊急地震速報などの緊急時であっても、通信トラフィックの混雑を緩和できる。
【００４７】
図５では、携帯電話機１が緊急地震速報を受信した場合に、位置測位処理を開始する処理の例を説明したが、これには限定されない。例えば、携帯電話機１が、携帯電話機２から位置測位を要求するメッセージを受信した場合に、位置測位処理を開始するようにしてもよい。
【００４８】
以下、図７を用いて、この場合の処理の流れを説明する。図７は、本実施形態に係るシステムにおける他の処理の流れを示す図である。図７には、携帯電話機１が、携帯電話機２から位置測位を要求するメッセージを受信した場合に、位置測位処理を開始するときの処理の流れの一例を示す。図７に示すステップＳ２０２〜ステップＳ２１０の処理は、図５に示すステップＳ１０２〜ステップＳ１１０の処理に対応する。
【００４９】
図７に示すように、携帯電話機２は、ステップＳ２０１として、位置測位を要求するメッセージを携帯電話機１に送信する。携帯電話機２は、位置測位を要求する場合、例えば、通信事業者が提供する、いわゆるキャリアメールを利用してもよいし、携帯電話機１のユーザが加入する通信事業者と携帯電話機２のユーザが加入する通信事業者が同一であれば、ショートメールを利用してもよい。スマートフォンであれば、キャリアメールのほかに、ＳＭＳ、ＭＭＳ、Ｗｅｂメールなどを利用してもよい。
【００５０】
携帯電話機１は、携帯電話機２から位置測位を要求するメッセージを受信すると、ステップＳ２０２として、位置測位処理を起動して、３回位置測位を実行する。携帯電話機１は、例えば、携帯電話機２から受信したメールのシステム領域に、位置測位を要求するメッセージを示すパラメータが挿入されている場合には、位置測位を要求するメッセージであると判定する。続いて、携帯電話機１は、ステップＳ２０３として、測位した各位置情報を携帯電話機２に送信する。
【００５１】
携帯電話機２は、ステップＳ２０４として、携帯電話機１から各位置情報を受信すると、ステップＳ２０５として、各位置情報に対応する位置が表示された地図データの取得要求をサーバ３に送信する。
【００５２】
サーバ３は、ステップＳ２０６として、携帯電話機２から地図データの取得要求を受信すると、ステップＳ２０７として、取得要求に含まれる各位置情報に基づいて作成した地図データを格納する。続いて、サーバ３は、ステップＳ２０８として、地図データの格納位置を示すＵＲＬを記述したメールを携帯電話機２に送信する。
【００５３】
携帯電話機２は、ステップＳ２０９として、サーバ３から地図データの格納位置を示すＵＲＬが記述されたメールを受信すると、ステップＳ２１０として、このＵＲＬにアクセスし、地図データをディスプレイに表示させる。
【００５４】
ところで、図５では、携帯電話機１が緊急地震速報を受信した場合に、位置測位処理を起動して、測位した各位置情報を携帯電話機２に送信する処理の例を説明したが、これには限定されない。例えば、携帯電話機１が、測位した各位置情報の中から所定の条件を満足する位置情報を選択して携帯電話機２に送信するようにしてもよい。
【００５５】
携帯電話機１の記憶部４０には、少なくとも、複数回の位置測位により取得された各位置情報の中から所定の条件を満足する位置情報を選択するためのプログラムが記憶される。すなわち、記憶部４０には、できるだけ精度の良い位置情報を選択するためのプログラムが記憶される。例えば、各位置情報の中から、少なくとも３つ以上のＧＰＳ衛星３０ａ、３０ｂ、３０ｃ及び３０ｄから受信した電波信号を用いて測位した位置情報を選択するためのプログラムが記憶される。あるいは、信号強度が所定レベル以上の電波信号を用いて測位した位置情報を選択するためのプログラムが記憶される。あるいは、少なくとも３つ以上のＧＰＳ衛星３０ａ、３０ｂ、３０ｃ及び３０ｄから受信した電波信号であり、かつ信号強度が所定レベル以上の電波信号を用いて測位した位置情報を選択するためのプログラムが記憶される。
【００５６】
携帯電話機１の制御部１００が有する位置情報送信部１２０は、位置測位部１１０による複数回の位置測位により取得された各位置情報の中から、所定の条件を満足する位置情報を選択して携帯電話機２に送信する。すなわち、位置情報送信部１２０は、携帯電話機２に送信する前に、各位置情報の中から、できるだけ精度の良い位置情報を選択して送信する。位置情報送信部１２０は、位置測位部１１０により測位された各位置情報の中から、少なくとも３つ以上のＧＰＳ衛星から受信した電波信号を用いて測位した位置情報を選択して携帯電話機２に送信する。あるいは、位置情報送信部１２０は、位置測位部１１０により測位された各位置情報の中から、信号強度が所定レベル以上の電波信号を用いて測位した位置情報を選択して携帯電話機２に送信する。あるいは、位置情報送信部１２０は、位置測位部１１０により測位された各位置情報の中から、少なくとも３つ以上のＧＰＳ衛星から受信した電波信号であり、かつ信号強度が所定レベル以上の電波信号を用いて測位した位置情報を選択して携帯電話機２に送信する。
【００５７】
図８は、本実施形態に係るシステムにおける他の処理の流れを示す図である。図８には、携帯電話機１が、測位した各位置情報の中から所定の条件を満足する位置情報を選択して携帯電話機２に送信する場合の処理の流れの一例を示す。図８に示すステップＳ３０５〜ステップＳ３１１の処理は、図５に示すステップＳ１０４〜ステップＳ１１０の処理に対応する。
【００５８】
図８に示すように、携帯電話機１は、ステップＳ３０１として、緊急地震速報を受信すると、ステップＳ３０２として、位置測位処理を起動して、３回位置測位を実行する。続いて、携帯電話機１は、ステップＳ３０３として、測位した各位置情報の中から、所定の条件を満足する位置情報を選択する。例えば、携帯電話機１は、測位した各位置情報の中から、少なくとも３つ以上のＧＰＳ衛星から受信した電波信号を用いて測位した位置情報を選択する。あるいは、携帯電話機１は、測位した各位置情報の中から、信号強度が所定レベル以上の電波信号を用いて測位した位置情報を選択する。あるいは、携帯電話機１は、測位した各位置情報の中から、少なくとも３つ以上のＧＰＳ衛星から受信した電波信号であり、かつ信号強度が所定レベル以上の電波信号を用いて測位した位置情報を選択する。携帯電話機１は、ステップＳ３０４として、選択した位置情報を携帯電話機２に送信する。
【００５９】
携帯電話機２は、ステップＳ３０５として、携帯電話機１から位置情報を受信すると、ステップＳ３０６として、位置情報に対応する位置が表示された地図データの取得要求をサーバ３に送信する。
【００６０】
サーバ３は、ステップＳ３０７として、携帯電話機２から地図データの取得要求を受信すると、ステップＳ３０８として、取得要求に含まれる各位置情報に基づいて作成した地図データを格納する。続いて、サーバ３は、ステップＳ３０９として、地図データの格納位置を示すＵＲＬを記述したメールを携帯電話機２に送信する。
【００６１】
携帯電話機２は、ステップＳ３１０として、サーバ３から地図データの格納位置を示すＵＲＬが記述されたメールを受信すると、ステップＳ３１１として、このＵＲＬにアクセスし、地図データをディスプレイに表示させる。
【００６２】
図９は、図８の処理により携帯電話機２のディスプレイに表示される地図データの一例を示す図である。図９に示すように、携帯電話機２のディスプレイに表示される地図データＤ２には、携帯電話機１にて測位された３つの位置情報の中から選択された、携帯電話機１の位置Ｐ４及び位置Ｐ５が表示される。すなわち、図９に示す例では、携帯電話機１において予め選択された精度が良い位置情報に対応する位置が、携帯電話機２のディスプレイに表示される。このため、本実施形態に係るシステムによれば、携帯電話機２のユーザが、携帯電話機１のユーザの位置の推測精度を高めることができる。
【００６３】
ところで、図８では、携帯電話機１が、測位した各位置情報の中から所定の条件を満足する位置情報を選択して携帯電話機２に送信する処理の例を説明したが、これには限定されない。例えば、携帯電話機１が、測位した各位置情報の中から選択した、所定の条件を満足する位置情報が複数ある場合には、これらの位置情報を平均化して携帯電話機２に送信するようにしてもよい。
【００６４】
携帯電話機１の記憶部４０には、少なくとも、測位した各位置情報の中から選択した、所定の条件を満足する位置情報が複数ある場合には、これらの位置情報を平均化するためのプログラムが記憶される。例えば、複数の位置情報に対応する各々の位置からの距離が等しい地点を割り出し、その地点に対応する位置情報を算出するためのプログラムが記憶される。
【００６５】
携帯電話機１の制御部１００が有する位置情報送信部１２０は、各位置情報の中から選択した、所定の条件を満足する位置情報が複数ある場合には、これらの位置情報を平均化して携帯電話機２に送信する。例えば、位置情報送信部１２０は、所定の条件を満足する複数の位置情報に対応する各々の位置からの距離が等しい地点を割り出し、その地点に対応する位置情報を算出する。
【００６６】
図１０は、本実施形態に係るシステムにおける他の処理の流れを示す図である。図１０には、携帯電話機１が、測位した各位置情報の中から選択した、所定の条件を満足する位置情報が複数ある場合には、これらの位置情報を平均化して携帯電話機２に送信する場合の処理の流れの一例を示す。図１０に示すステップＳ４０６〜ステップＳ４１２の処理は、図８に示すステップＳ３０５〜ステップＳ３１１の処理に対応する。
【００６７】
図１０に示すように、携帯電話機１は、ステップＳ４０１として、緊急地震速報を受信すると、ステップＳ４０２として、位置測位処理を起動して、３回位置測位を実行する。続いて、携帯電話機１は、ステップＳ４０３として、測位した各位置情報の中から、所定の条件を満足する位置情報を選択する。例えば、携帯電話機１は、測位した各位置情報の中から、少なくとも３つ以上のＧＰＳ衛星から受信した電波信号を用いて測位した位置情報を選択する。あるいは、携帯電話機１は、測位した各位置情報の中から、信号強度が所定レベル以上の電波信号を用いて測位した位置情報を選択する。あるいは、携帯電話機１は、測位した各位置情報の中から、少なくとも３つ以上のＧＰＳ衛星から受信した電波信号であり、かつ信号強度が所定レベル以上の電波信号を用いて測位した位置情報を選択する。
【００６８】
続いて、携帯電話機１は、ステップＳ４０４として、選択した位置情報が複数の場合、位置情報を平均化する。例えば、携帯電話機１は、所定の条件を満足する複数の位置情報に対応する各々の位置からの距離が等しい地点を割り出し、その地点に対応する位置情報を算出する。続いて、携帯電話機１は、ステップＳ４０５として、平均化した位置情報を携帯電話機２に送信する。
【００６９】
携帯電話機２は、ステップＳ４０６として、携帯電話機１から位置情報を受信すると、ステップＳ４０７として、位置情報に対応する位置が表示された地図データの取得要求をサーバ３に送信する。
【００７０】
サーバ３は、ステップＳ４０８として、携帯電話機２から地図データの取得要求を受信すると、ステップＳ４０９として、取得要求に含まれる位置情報に基づいて作成した地図データを格納する。続いて、サーバ３は、ステップＳ４１０として、地図データの格納位置を示すＵＲＬを記述したメールを携帯電話機２に送信する。
【００７１】
携帯電話機２は、ステップＳ４１１として、サーバ３から地図データの格納位置を示すＵＲＬが記述されたメールを受信すると、ステップＳ４１２として、このＵＲＬにアクセスし、地図データをディスプレイに表示させる。
【００７２】
図１１は、図１０の処理により携帯電話機２のディスプレイに表示される地図データの一例を示す図である。図１１に示すように、携帯電話機２のディスプレイに表示される地図データＤ３には、携帯電話機１にて測位された複数の位置情報が平均化された位置情報に対応する、携帯電話機１の位置Ｐ６が表示される。すなわち、図１１に示す例では、携帯電話機１において予め選択された精度が良い位置情報がさらに平均化されることにより、この位置情報に対応する携帯電話機１の位置が１つだけ、携帯電話機２のディスプレイに表示される。このため、本実施形態に係るシステムによれば、携帯電話機２のユーザが、携帯電話機１のユーザの位置を試行錯誤することなく把握できる。
【００７３】
上述した実施形態では、携帯電話機２は、サーバ３から地図データの提供を受ける例を説明したが、携帯電話機２自らが地図データを蓄積しておいて、蓄積した地図データの中から、携帯電話機１から受信した位置情報に対応する地図データを表示してもよい。
【００７４】
図５、図７、図８、図１０に示す処理手順では、携帯電話機２が、携帯電話機１から位置情報を受信し、受信した位置情報に対応する地図データをサーバ３に要求する。続いて、サーバ３が、携帯電話機２から位置情報を受信し、位置情報に基づく地図データを生成して、地図データに対応するＵＲＬを記述したメールを携帯電話機２に送信する例を説明した。しかしながら、この例には限定されず、例えば、携帯電話２が、携帯電話機１から位置情報を受信して、この位置情報に対応する地図データをサーバ３に要求することなく、サーバ３から地図データに対応するＵＲＬが記述されたメールを直接受信できるようにしてもよい。例えば、サーバ３がメールサーバとしての機能と、地図データベースとしての機能をそれぞれ有しているものとする。そして、サーバ３は、携帯電話機１から送信された、携帯電話機２を宛先とする位置情報を受信すると、位置情報に対応するを生成して、地図データに対応するＵＲＬを記述したメールを携帯電話２に送信する。携帯電話機２は、地図データに対応するＵＲＬを記述したメールを、携帯電話機１から送信されたメールとして受信する。
【００７５】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００７６】
１、２        携帯電話機
３            サーバ
１１、３１    マイク
１２、３２    スピーカ
１３、３３    レシーバ
１４、３４    操作部
１５、３５    表示部
１６          カメラ
１７、３６    通信部
２０、５０    音声処理部
４０、７０    記憶部
１００        制御部
１１０        位置測位部
１２０        位置情報送信部
２００        制御部
２１０        地図データ表示部
【図１】
2013232786.tif 000003
【図２】
2013232786.tif 000004
【図３】
2013232786.tif 000005
【図４】
2013232786.tif 000006
【図５】
2013232786.tif 000007
【図６】
2013232786.tif 000008
【図７】
2013232786.tif 000009
【図８】
2013232786.tif 000010
【図９】
2013232786.tif 000011
【図１０】
2013232786.tif 000012
【図１１】
2013232786.tif 000013